(57)【要約】      （修正有）【課題】設置条件の調整が容易な農業用照明器具を提供する。【解決手段】農業用照明器具１００は、ポリオレフィン系樹脂を含有し、可視光反射性を有する基材シートを有する反射シート１０と、上記反射シートの一方の表面側に位置するフレキシブルＬＥＤ基板２０と、上記反射シートを吊り下げる吊り下げ部材３０と、を有する。【選択図】図１
2018092821.tif 000002
【特許請求の範囲】
【請求項１】
ポリオレフィン系樹脂を含有し、可視光反射性を有する基材シートを有する反射シートと、
前記反射シートの一方の表面側に位置するフレキシブルＬＥＤ基板と、
前記反射シートを吊り下げる吊り下げ部材と、
を有する、農業用照明器具。
【請求項２】
前記吊り下げ部材が、紐状部材である、請求項１に記載の農業用照明器具。
【請求項３】
前記反射シートが、立体構造を有する、請求項１または請求項２に記載の農業用照明器具。
【請求項４】
前記立体構造が、筒状構造である、請求項３に記載の農業用照明器具。
【請求項５】
前記筒状構造の少なくとも一方の開口部に、前記開口部の少なくとも一部を覆う補助反射シートを有する、請求項４に記載の農業用照明器具。
【請求項６】
前記筒状構造の開口部から内部にわたる領域に、補助反射シートを有する、請求項４に記載の農業用照明器具。
【請求項７】
前記立体構造が、錐体構造である、請求項３に記載の農業用照明器具。
【請求項８】
前記反射シートが、帯構造を有する、請求項１または請求項２に記載の農業用照明器具。
【請求項９】
前記基材シートの可視光反射率が、９０％以上である、請求項１から請求項８までのいずれかの請求項に記載の農業用照明器具。
【請求項１０】
前記基材シートが、多孔質基材シートである、請求項１から請求項９までのいずれかの請求項に記載の農業用照明器具。
【請求項１１】
前記ポリオレフィン系樹脂が、ポリプロピレン系樹脂である、請求項１から請求項１０までのいずれかの請求項に記載の農業用照明器具。
【請求項１２】
前記基材シートが、多孔質基材シートであり、
前記ポリオレフィン系樹脂が、ポリプロピレン系樹脂であり、
前記多孔質基材シートの空隙率が３５％以上６０％以下であり、前記多孔質基材シートの厚みが３０μｍ以上９０μｍ以下である、請求項１から請求項１１までのいずれかの請求項に記載の農業用照明器具。
【発明の詳細な説明】
【技術分野】
【０００１】
本開示は、農業用照明器具に関する。
【背景技術】
【０００２】
野菜等の植物の栽培方法として、例えば農業ハウスでの人工栽培が知られている。また、植物の成長を促進するため、照明器具を用いることが知られている。例えば、特許文献１には、発光ダイオード光源とその背後の反射板からなる農作物育成用照明ユニットであって、反射板が、脂肪族ポリエステル系樹脂と酸化チタンを主とする微粉状充填剤を含有する樹脂組成物から形成される反射フィルムを含む農作物育成用が開示されている。
【０００３】
また、特許文献２には、太陽光を利用するハウスにおいて補光装置を用いて植物を栽培する方法であって、栽培用ベンチ及び／又は補光装置は相対的位置関係が変化するように移動し、１又はそれ以上の栽培用ベンチの片側面又は両側面から栽培植物に対して補光装置により光を照射し、栽培植物の特定の生育段階において各栽培用ベンチの栽培植物に対して補光装置により照射を行なうことを特徴とする植物栽培方法が開示されている。
【先行技術文献】
【特許文献】
【０００４】
【特許文献１】特開２０１１−１０９９２１号公報
【特許文献２】特開２０１１−１８８７８８号公報
【発明の概要】
【発明が解決しようとする課題】
【０００５】
特許文献１に記載された照明ユニットは、リジッドな反射板を用いているため、反射板の角度等の設置条件が、反射性に大きな影響を与える。そのため、リジッドな反射板は、設置条件の調整が難しい。
【０００６】
本開示は、上記実情に鑑みてなされたものであり、設置条件の調整が容易な農業用照明器具を提供することを主目的とする。
【課題を解決するための手段】
【０００７】
本開示の農業用照明器具の一つは、ポリオレフィン系樹脂を含有し、可視光反射性を有する基材シートを有する反射シートと、上記反射シートの一方の表面側に位置するフレキシブルＬＥＤ基板と、上記反射シートを吊り下げる吊り下げ部材と、を有する。
【発明の効果】
【０００８】
本開示の農業用照明器具は、設置条件の調整が容易であるという効果を奏する。
【図面の簡単な説明】
【０００９】
【図１】本開示の農業用照明器具を例示する模式図である。
【図２】本開示の効果を説明する模式図である。
【図３】本開示における反射シートを例示する模式図である。
【図４】本開示における反射シートを例示する模式図である。
【図５】本開示における反射シートを例示する模式図である。
【図６】本開示における反射シートを例示する模式図である。
【図７】本開示における反射シートを例示する模式図である。
【図８】本開示におけるフレキシブルＬＥＤ基板を例示する模式図である。
【図９】本開示の農業用照明器具を例示する模式図である。
【図１０】本開示の農業用照明器具を例示する模式図である。
【図１１】実施例１の農業用照明器具を説明する模式図である。
【発明を実施するための形態】
【００１０】
以下、本開示の農業用照明器具について、詳細に説明する。
【００１１】
図１は、本開示の農業用照明器具を例示する模式図である。図１に示す農業用照明器具１００は、ポリオレフィン系樹脂を含有し、可視光反射性を有する基材シートを有する反射シート１０と、反射シート１０の一方の表面側に位置するフレキシブルＬＥＤ基板２０と、反射シート１０を吊り下げる吊り下げ部材３０と、を有する。
【００１２】
本開示によれば、反射シートおよびフレキシブルＬＥＤ基板を組み合わせることにより、設置条件の調整が容易な農業用照明器具とすることができる。具体的には、反射シートがシート状であるため、フレキシブルに加工可能であり、フレキシブルＬＥＤ基板も基材シートの形状に追従するように配置できる。そのため、広範な範囲に反射光およびＬＥＤ光を届けることができ、照明器具の設置条件の調整が容易となる。
【００１３】
また、反射シートおよびフレキシブルＬＥＤ基板を組み合わせることにより、植物の成長を効果的に促進できる。例えば図２（ａ）に示すように、晴天時は、反射シート１０の反射光を積極的に活用し、図２（ｂ）に示すように、雨天時または夜間は、フレキシブルＬＥＤ基板２０を積極的に活用できる。このように、本開示の農業用照明器具は、状況に応じて、植物の成長を効果的に促進でき、補光器具として有用である。
【００１４】
また、例えば特許文献１に記載の照明ユニットは、地上に配置されているため、農作業の作業性の低下を招きやすい。これに対して、本開示の農業用照明器具は、吊り下げ部材を有し、通常、吊り下げられて使用されるため、農作業の作業性の低下を抑制できる。また、例えば特許文献１に記載の反射フィルムは、脂肪族ポリエステル系樹脂を含有するため、脂肪族ポリエステル系樹脂の加水分解によるフィルム劣化が生じる可能性がある。これに対して、本開示における反射シート（反射フィルム）は、ポリオレフィン系樹脂を含有するため、耐熱性、耐水性、耐薬品性に優れ、フィルム劣化が生じにくいという利点がある。また、本開示の農業用照明器具は、反射シートおよびフレキシブルＬＥＤ基板を組み合わせた軽量な照明器具であるため、吊り下げ部材を支持する支持部材、例えば農業ハウスの梁または桁に、荷重によるストレスを与えないという利点がある。
本開示の農業用照明器具について、構成ごとに説明する。
【００１５】
１．反射シート
本開示の農業用照明器具は、ポリオレフィン系樹脂を含有し、可視光反射性を有する基材シートを有する反射シートを有する。反射シートは、通常、フレキシブル性を有する。「フレキシブル性」とは、室温（例えば２５℃）の環境下で対象物を直径３０ｃｍのロール状に巻き取ったときに、当該対象物に折り目が生じない程度の柔軟性を有することをいう。また、「折れ目」とは、当該対象物を巻き取る方向と交差する方向において、当該対象物に現れる変形であって、変形を元に戻すように当該対象物を逆向きに巻き取ったとしても元には戻らない程度の変形をいう。
以下、反射シートの形状および構成について説明する。
【００１６】
（１）反射シートの形状
本開示における反射シートの形状は特に限定されないが、例えば、立体構造が挙げられる。「立体構造」とは、三次元の構造をいう。特に、反射シートは、曲面部または屈曲部を有することが好ましい。
【００１７】
反射シートの立体構造の一例としては、筒状構造が挙げられる。「筒状構造」とは、中空を有する構造をいう。筒状構造は、通常、２ヶ所の開口部を有するが、２ヶ所以上の開口部を有していてもよい。開口部の形状としては、例えば、円状；楕円状；三角形状、四角形状等の多角形状が挙げられる。
【００１８】
筒状構造としては、例えば柱状構造が挙げられる。「柱状構造」とは、筒状構造の中でも、２ヶ所の開口部の形状が同一である構造をいう。柱状構造を有する反射シートとしては、例えば、図３（ａ）に示すように、２ヶ所の開口部１１の形状が同一の円状である円柱構造を有する反射シート１０、および、図３（ｂ）に示すように、２ヶ所の開口部１１の形状が同一の四角形である四角柱構造を有する反射シート１０が挙げられる。なお、図３（ａ）、（ｂ）においては、便宜上、フレキシブルＬＥＤ基板の記載を省略している。この点は、図４〜図７においても同様である。また、円柱構造および四角柱構造以外の柱状構造としては、例えば、楕円柱構造；三角柱構造等の多角柱構造が挙げられる。
【００１９】
筒状構造は、２ヶ所の開口部の形状が相似する構造であってもよい。このような筒状構造を有する反射シートとしては、例えば、図４（ａ）に示すように、２ヶ所の開口部１１の形状が相似する円状である筒状構造を有する反射シート１０が挙げられる。また、図４（ａ）に示すように、小さい開口部１１から大きい開口部１１に向かう直線と、反射シート１０の側面の斜辺とのなす角度をθとした場合、θの値は、例えば５°以上１５°以下であり、８°以上１２°以下であってもよい。また、図４（ａ）では、小さい開口部１１が上方となり、大きい開口部１１が下方となるように、農業用照明器具１００が吊り下げられるが、図４（ｂ）では、大きい開口部１１が上方となり、小さい開口部１１が下方となるように、農業用照明器具１００が吊り下げられる。
【００２０】
また、反射シートの立体構造の他の例としては、錐体構造が挙げられる。錐体構造を有する反射シートとしては、例えば図５に示すように、円錐構造を有する反射シート１０が挙げられる。円錐構造以外の錐体構造としては、例えば、楕円錐構造；三角錐構造、四角錐構造等の多角錐構造が挙げられる。
【００２１】
立体構造を有する反射シートのサイズは、特に限定されないが、農業用照明器具が吊り下げられた場合に、幅および奥行きは、それぞれ、例えば２５ｃｍ以上５０ｃｍ以下であり、３０ｃｍ以上４０ｃｍ以下であることが好ましい。高さは、例えば３０ｃｍ以上１００ｃｍ以下であり、４０ｃｍ以上８０ｃｍ以下であることが好ましい。また、立体構造を有する反射シートの製造方法は、特に限定されないが、例えば、平面状の反射シートを適当な形状に切断し、接着材等を用いて加工する方法等が挙げられる。
【００２２】
また、反射シートは、例えば図６に示すように、帯状構造を有する反射シート１０であってもよい。帯状構造を有する反射シートは、隣り合う株同士の間等に容易に設置することができる。帯状構造を有する反射シートのサイズは、特に限定されないが、農業用照明器具が吊り下げられた場合に、幅は、例えば２０ｍｍ以上５０ｍｍ以下であり、３０ｍｍ以上４０ｍｍ以下であることが好ましい。高さは、例えば２００ｍｍ以上１５００ｍｍ以下であり、４００ｍｍ以上１０００ｍｍ以下であることが好ましい。
【００２３】
また、反射シートが筒状構造を有する場合、例えば図７（ａ）に示すように、反射シート１０の側面に照射される光Ｌ２は、反射シート１０により反射されるが、反射シート１０の開口部１１から中空部に進入した光Ｌ１は、反射光として利用されにくい。
【００２４】
反射光の利用効率を高める観点から、例えば図７（ｂ）に示すように、農業用照明器具１００は、筒状構造の少なくとも一方の開口部１１に、開口部１１の少なくとも一部を覆う補助反射シート１２を有していてもよい。この場合、光Ｌ１は、開口部１１を覆う補助反射シート１２によって反射され、中空部に進入しない。特に、農業用照明器具は、吊り下げられた場合に上方側となる開口部に、補助反射シートを有することが好ましい。補助反射シートは、開口部を平面視した場合に、開口部に対して、５０％以上覆っていてもよく、７０％以上覆っていてもよく、全て覆っていてもよい。
【００２５】
一方、中空部に進入した光を、植物に照射される反射光に積極的に変換するために、補助反射シートを用いてもよい。例えば図７（ｃ）、（ｄ）に示すように、農業用照明器具１００は、筒状構造の開口部１１から内部（中空部）に渡る領域に、補助反射シート１２を有していてもよい。図７（ｃ）、（ｄ）に示す農業用照明器具１００は、筒状構造の開口部１１（吊り下げられた場合に下方側となる開口部１１）から内部（中空部）に渡る領域に、円錐構造を有する補助反射シート１２を有する。図７（ｃ）では、補助反射シート１２の先端部は、筒状構造の内部に位置し、図７（ｄ）では、補助反射シート１２の先端部は、筒状構造の外部に位置し、補助反射シート１２は筒状構造の内部を貫通している。これらの場合、光Ｌ１は、吊り下げられた場合に上方側となる開口部１１から筒状構造の内部に進入し、筒状構造の内部で反射し、吊り下げられた場合に下方側となる開口部１１から外界に進行する。その光が、補助反射シート１２によって反射され、植物に照射される反射光に変換される。
【００２６】
補助反射シートの構成については、後述する反射シートの構成と同様であるので、ここでの記載は省略する。補助反射シートと、筒状構造を有する反射シートとは、同一の材料であることが好ましい。また、補助反射シートの形状については、特に限定されないが、上述した立体構造および帯状構造等を有することが好ましい。
【００２７】
（２）反射シートの構成
反射シートは、ポリオレフィン系樹脂を含有し、可視光反射性を有する基材シートのみを有していてもよく、他の部材をさらに有していてもよい。他の部材としては、例えば、後述する補強シートが挙げられる。
【００２８】
（ｉ）基材シート
基材シートは、ポリオレフィン系樹脂を少なくとも含有し、必要に応じて、充填材等の添加剤をさらに含有していてもよい。
【００２９】
（ポリオレフィン系樹脂）
ポリオレフィン系樹脂は、耐熱性、耐水性、耐薬品性、コスト面に優れる。基材シートに用いられるポリオレフィン系樹脂としては、例えば、オレフィンの単独重合体、２種類以上のオレフィンの共重合体、１種類以上のオレフィンと、オレフィンと重合可能な１種類以上の重合性モノマーとの共重合体等が挙げられる。上記オレフィン（モノマー単位）としては、例えば、エチレン、プロピレン、ブテン、ヘキセン等が挙げられる。また、共重合体は、２元系でも３元系でも４元系でもよい。また、共重合体は、ランダム共重合体でもブロック共重合体であってもよい。
【００３０】
ポリオレフィン系樹脂の具体例としては、例えば、ポリエチレン系樹脂、ポリプロピレン系樹脂等が挙げられ、中でも、ポリプロピレン系樹脂等が好ましい。ポリプロピレン系樹脂の一例としては、プロピレン単独重合体が挙げられる。プロピレン単独重合体は、アイソタクティックまたはシンジオタクティックな立体規則性を有することが好ましい。ポリプロピレン系樹脂の他の例としては、プロピレンと、他のαオレフィンとの共重合体が挙げられる。他のαオレフィンとしては、例えば、エチレン、ブテン−１、ヘキセン−１、ヘプテン−１，４−メチルペンテン−１の少なくとも一種等が挙げられる。ポリプロピレン系樹脂は、プロピレンをモノマー単位の主成分とすることが好ましい。
【００３１】
一方、ポリエチレン系樹脂としては、例えば、低密度ポリエチレン、高密度ポリエチレン等が挙げられる。ポリエチレン系樹脂は、直鎖状ポリエチレンであってもよい。ポリエチレン系樹脂は、エチレンをモノマー単位の主成分とすることが好ましい。また、ポリオレフィン系樹脂として、ポリ（４−メチルペンテン−１）、ポリ（ブテン−１）、エチレン−酢酸ビニル共重合体等を用いてもよい。
【００３２】
基材シートは、１種類の樹脂を含有していてもよく、２種類以上の樹脂を含有していてもよい。２種類以上の樹脂を用いる場合、ポリオレフィン系樹脂を主成分とすることが好ましく、ポリエチレン系樹脂またはポリプロピレン系樹脂を主成分とすることがより好ましい。また、基材シートにおける樹脂の含有量は、例えば、４５質量％以上であり、５５質量％以上であってもよい。一方、基材シートにおける樹脂の含有量は、例えば、９９質量％以下であり、９８質量％以下であってもよい。
【００３３】
（充填材）
基材シートは、充填材を含有していてもよい。特に、多孔質基材シートは、充填材を含有することが好ましい。充填材を添加し、例えば延伸することにより、シートの内部に空隙が生じる。充填材としては、例えば、無機系充填材および有機系充填材が挙げられる。
【００３４】
無機系充填材としては、例えば、重質炭酸カルシウム、軽質炭酸カルシウム等の炭酸カルシウム、焼成クレイ、タルク、酸化珪素、珪藻土、酸化チタン、酸化マグネシウム、酸化亜鉛、硫酸バリウム等が挙げられる。また、無機系充填材は脂肪酸で表面処理されていてもよい。中でも、無機系充填材は、重質炭酸カルシウム、軽質炭酸カルシウム、焼成クレイまたはタルクであることが好ましい。安価で成形性がよいからである。
【００３５】
無機系充填材の平均粒子径は、例えば、０．０１μｍ以上１５μｍ以下であり、０．０１μｍ以上８μｍ以下であってもよい。なお、平均粒子径とは、体積基準で測定した粒径分布の統計的平均値として定義され、例えば、株式会社堀場製作所製ＬＡ−９２０によって測定された値をいう。
【００３６】
有機系充填材としては、例えば、ポリエチレンテレフタレート、ポリブチレンテレフタレート、ポリカーボネート、ポリアミド、ポリエチレンナフタレート、ポリスチレン、メラミン、ポリエチレンサルファイト、ポリイミド、ポリエチルエーテルケトン、ポリエーテルエーテルケトン、ポリフェニレンサルファイト、ポリ−４−メチル−１−ペンテン、ポリメチルメタクリレート等が挙げられる。また、有機系充填材として、環状オレフィンの単独重合体、環状オレフィンとエチレンとの共重合体であり、融点が１２０℃以上３００℃以下であるかガラス転移温度が１２０℃以上２８０℃以下である材料を用いることもできる。
【００３７】
基材シートにおける充填材の含有量は、例えば、１質量％以上６５質量％以下であり、２質量％以上５５質量％以下であることが好ましい。
【００３８】
（他の添加材）
基材シートは、必要に応じて、界面活性材、滑材、帯電防止材等の各種添加材を含有していてもよい。界面活性材の添加により、例えば結露を防ぐことができる。界面活性材としては、例えば、非イオン性界面活性材、陰イオン性界面活性材、両イオン性界面活性材等が挙げられる。非イオン性界面活性材としては、例えば、グリセリン脂肪酸エステル、ペンタエリスリトール脂肪酸エステル、ポリオキシプロピレン・ポリオキシエチレンブロックポリマー等が挙げられる。陰イオン性界面活性材としては、例えば、スルホン酸塩、アルキルベンゼンスルホン酸塩等の塩が挙げられる。なお、上記塩としては、例えば、ナトリウム塩、カリウム塩、アンモニウム塩等が挙げられる。
【００３９】
また、滑材としては、例えば、流動パラフィン、合成パラフィン、マイクロクリスタリンワックス等の脂肪族炭化水素、直鎖アルコールのステアリン酸エステル、高級脂肪酸アマイド等が挙げられる。また、帯電防止材としては、例えば、アルキルジエタノールアミン、ヒドロキシアルキルモノエタノールアミン、グリセリン脂肪酸エステル、ポリグリセリン脂肪酸エステル、アルキルスルホン酸ソーダ、アルキルベンゼンスルホン酸ソーダ、過塩素酸テトラアルキルアンモニウム塩等が挙げられる。なお、添加材の含有量は、特に限定されず、添加材の種類に応じて適宜選択する。
【００４０】
（基材シート）
基材シートは、可視光反射性を有する。基材シートの可視光反射率（波長３８０ｎｍ以上７８０ｎｍ以下における平均反射率）は、例えば、７０％以上であり、８０％以上であることが好ましく、９０％以上であることがより好ましい。
【００４１】
基材シートは、内部に空隙を有するシートであってもよく、内部に空隙を有しないシートであってもよいが、前者が好ましい。特に、基材シートは、多孔質基材シートであることが好ましい。多孔質基材シートは、多孔質構造により可視光反射性を示すことが好ましい。多孔質基材シートの空隙率は、特に限定されないが、例えば３５％以上６０％以下であり、４０％以上５８％以下であることが好ましい。空隙率が低すぎると、光反射性が低くなる可能性がある。空隙率が高すぎると、シート強度が弱くなる可能性がある。
【００４２】
空隙率とは、多孔質基材シートに占める空隙の割合をいい、下記式１により算出できる。
空隙率（％）＝｛（ρｏ−ρ）／ρｏ｝×１００  …（式１）
式１において、ρは多孔質基材シートの密度であり、ＪＩＳ  Ｐ  ８１１８に準拠する。ρｏは多孔質基材シートの真密度である。真密度は、多孔質基材シートを構成する主要な材料成分の種類とそれらの構成比率を分析して、材料成分の種類の一般的な値を用いることで決定することができる。例えば、ポリプロピレンの密度は０．９ｇ／ｃｍ３、炭酸カルシウムの密度は２．７ｇ／ｃｍ３である。なお、多孔質基材シートが延伸処理されたものであるときは、延伸前の材料が多量の空気を含有するものでない限り、真密度は延伸前の材料の密度にほぼ等しい。そのため、真密度は、延伸前の材料から求めてもよく、定容積膨張法による乾式密度測定方法で求めることができ、測定装置としては、例えば、（株）島津製作所製の乾式自動密度計アキュピック１３３０が挙げられる。
【００４３】
空隙の平均径は、例えば、１μｍ以上５０μｍ以下であり、２μｍ以上４０μｍ以下であることが好ましく、５μｍ以上３０μｍ以下であることがより好ましい。なお、空隙の最大径（Ｌ）とそれに直角な方向の最大の径（Ｍ）を測定して平均したもの［（Ｌ＋Ｍ）／２］を空隙の径とする。少なくともｎ個（ｎは１以上の整数であり、１００以上の整数であることが好ましい）の空隙の径を測定し、その平均値を、空隙の平均径とする。試料の断面観察には、例えば、（株）日立製作所製の走査型電子顕微鏡Ｓ−２４００を用いることができる。
【００４４】
基材シートの厚みは、特に限定されないが、例えば３０μｍ以上９０μｍ以下であり、４０μｍ以上８０μｍ以下であることが好ましい。また、基材シートは、単層構造であってもよく、複層構造であってもよい。基材シートが複層構造である場合、各層に含まれる樹脂成分は、同一であってもよく、異なっていてもよい。複層構造の基材シートの一例としては、内層と、上記内層の両面に位置する２つの外層とを有し、２つの外層に含まれる樹脂成分が同一であり、外層に含まれる樹脂成分と内層に含まれる樹脂成分が異なる基材シートが挙げられる。
【００４５】
基材シートの平滑性は高いことが好ましい。具体的に、基材シート表面の算術平均高さＳａは、例えば、１μｍ以下であり、０．７μｍ以下であることが好ましく、０．５μｍ以下であることがより好ましい。また、基材シートの防汚性は高いことが好ましい。具体的に、基材シート表面の汚染等級（ＪＩＳ−Ｌ−１９１９）は、３以上であることが好ましく、３．５以上であることがより好ましい。
【００４６】
基材シートは、透湿性、通気性および遮水性の少なくとも一つを有していてもよい。なお、透湿性とは、気体としての水すなわち水蒸気を通過させる性質をいい、通気性とは、二酸化炭素をはじめとする気体を通過させる性質をいい、遮水性とは、液体としての水を通過させない性質をいう。
【００４７】
基材シートの製造方法は、所望のシートが得られる方法であれば特に限定されず、公知の製造方法を採用することができる。
【００４８】
（ii）補強シート
反射シートは、基材シートの一方の面側に、基材シートを補強する補強シートを有していてもよい。
【００４９】
補強シートは、樹脂を含有することが好ましい。上記樹脂は、熱可塑性樹脂であってもよく、熱硬化性樹脂であってもよいが、前者が好ましい。特に、補強シートに含まれる樹脂は、ポリオレフィン系樹脂が好ましい。耐熱性、耐水性、耐薬品性、コスト面が優れるからである。また、ポリオレフィン系樹脂は、例えば、ポリエチレン系樹脂であってもよく、ポリプロピレン系樹脂であってもよい。
【００５０】
また、補強シートおよび基材シートの両方が、樹脂としてポリオレフィン系樹脂を含有するポリオレフィン系樹脂シートであることが好ましい。例えば、後述する接着層を設けた場合、ポリオレフィン系樹脂は接着材に対する接着性が共通するため、強固に接着した反射シートが得られるからである。また、熱や水分などによる膨張や収縮の程度が近いため、反りが発生し難く接着が剥がれ難いからである。その結果、耐久性が高い反射シートとなる。また、ポリオレフィン系樹脂を用いるため、耐水性が高い反射シートとなる。
【００５１】
また、補強シートがポリエチレン系樹脂を主成分として含有し、基材シートがポリプロピレン系樹脂を主成分として含有することが好ましい。反射シートの加工性が向上するからである。具体的には、ポリプロピレン系樹脂は比較的硬い樹脂であるため、加工が難しい。これに対して、ポリエチレン系樹脂は比較的柔らかい樹脂であるため、ポリプロピレン系樹脂およびポリエチレン系樹脂を組み合わせることで、反射シートの加工性が向上する。
【００５２】
補強シートは、単層構造であってもよく、複層構造であってもよい。補強シートの厚みは、特に限定されないが、例えば１０μｍ以上１５０μｍ以下であり、２０μｍ以上１００μｍ以下であることが好ましい。なお、補強シートが複層構造である場合、補強シートを構成する各層の厚みが、上述した範囲内であることが好ましい。また、反射シートは、最表面に補強シートを有していてもよく、内部に補強シートを有していてもよい。
【００５３】
反射シートは、基材シートおよび補強シートの間に他の層を有していてもよく、他の層を有さず接触していてもよい。他の層としては、例えば接着層が挙げられる。接着層の厚みは、例えば１０μｍ以下である。
【００５４】
（iii）反射シート
反射シートは、基材シートを少なくとも有する。反射シートの可視光反射率（波長３８０ｎｍ以上７８０ｎｍ以下における平均反射率）は、例えば、７０％以上であり、８０％以上であることが好ましく、９０％以上であることがより好ましい。特に、反射シートが立体構造を有する場合、反射シートは、外表面側の可視光反射率が、上記範囲であることが好ましい。
【００５５】
反射シートの厚みは、特に限定されないが、例えば７０μｍ以上２５０μｍ以下であり、１００μｍ以上２００μｍ以下であることが好ましい。
【００５６】
２．フレキシブルＬＥＤ基板
本開示の農業用照明器具は、反射シートの一方の表面側に位置するフレキシブルＬＥＤ基板を有する。フレキシブルＬＥＤ基板は、通常、フレキシブル性を有する。フレキシブル性については、上述した通りである。
【００５７】
本開示の農業用照明器具には、一般的なフレキシブルＬＥＤ基板を用いることができる。例えば図８に示すように、フレキシブルＬＥＤ基板２０は、基板２１と、基板２１の一方の面側に位置するＬＥＤ素子２２とを少なくとも有する。なお、図示しないが、フレキシブルＬＥＤ基板は、一般的な配線層、絶縁層、封止層等を有していてもよい。
【００５８】
基板としては、例えば、樹脂シートおよびガラスシート等が挙げられる。樹脂シートで使用される樹脂の具体例としては、ポリイミド、ポリアミドイミド、ポリナイロン、ポリカーボネート、ポリエーテルスルホン、アクリル、ポリエチレンナフタレート、ポリエチレンテレフタレート等が挙げられる。基板の厚みは、例えば１０μｍ以上１００μｍ以下である。
【００５９】
ＬＥＤ素子としては、例えば、Ｐ型半導体およびＮ型半導体が接合されたＰＮ接合部での発光を利用した発光半導体素子が挙げられる。また、有機エレクトロルミネッセンス素子もＬＥＤに含まれる。ＬＥＤ素子の色は、特に限定されず、青色ＬＥＤ、赤色ＬＥＤ、緑色ＬＥＤのいずれであってもよい。また、各色のＬＥＤ素子を２以上組み合わせて用いてもよい。フレキシブルＬＥＤ基板の平面視形状は、特に限定されないが、例えば帯状が挙げられる。
【００６０】
また、例えば図８に示すフレキシブルＬＥＤ基板２０は、電源ケーブル２５に接続され、電源ケーブル２５はプラグ２７に接続されている。さらに、ＬＥＤ素子の消費電力が高い場合、フレキシブルＬＥＤ基板２０は、電源ケーブル２５の途中に、中継基板２６を有していてもよい。また、図８に示すフレキシブルＬＥＤ基板２０と、図４（ｂ）に示す反射シート１０とを組み合わせると、例えば図９に示す農業用照明器具１００が得られる。
【００６１】
図９に示す農業用照明器具１００は、立体構造を有する反射シート１０と、反射シート１０の外表面側に位置するフレキシブルＬＥＤ基板２０と、反射シート１０を吊り下げる吊り下げ部材３０とを有する。なお、図９では、吊り下げ部材３０として、フレキシブルＬＥＤ基板２０に接続された電源ケーブル２５を用いている。電源ケーブル２５は、接着テープ３１により、反射シート１０に固定されている。また、図示しないが、反射シート１０およびフレキシブルＬＥＤ基板２０の間には、接着層を有していてもよい。
【００６２】
また、図９に示す農業用照明器具１００は、立体構造を有する反射シート１０の外表面側にフレキシブルＬＥＤ基板２０を有している。一方、立体構造を有する反射シートに貫通孔を設けた場合には、反射シートの内表面側に、貫通孔からＬＥＤ素子が露出するようにフレキシブルＬＥＤ基板を配置することもできる。すなわち、農業用照明器具は、立体構造を有し、かつ、厚さ方向に貫通する貫通孔を有する反射シートと、上記反射シートの内表面側に位置し、上記貫通孔からＬＥＤ素子が露出するフレキシブルＬＥＤ基板と、上記反射シートを吊り下げる吊り下げ部材とを有していてもよい。
【００６３】
また、反射シートが立体構造を有する場合、本開示の農業用照明器具は、立体構造を有する反射シートの周方向に沿って、フレキシブルＬＥＤ基板を有することが好ましい。一方、反射シートが帯状構造を有する場合、本開示の農業用照明器具は、帯状構造を有する反射シートの長手方向に沿って、フレキシブルＬＥＤ基板を有することが好ましい。また、本開示の農業用照明器具は、帯状構造を有する反射シートの一方の面側のみにフレキシブルＬＥＤ基板を有していてもよく、帯状構造を有する反射シートの両面側にフレキシブルＬＥＤ基板を有していてもよい。
【００６４】
３．吊り下げ部材
本開示の農業用照明器具は、反射シートを吊り下げる吊り下げ部材を有する。吊り下げ部材は、反射シートを吊り下げることが可能な部材であれば特に限定されないが、例えば、紐状部材、伸縮性部材（バネ状部材、ゴム状部材等）、棒状部材が挙げられる。特に、吊り下げ部材が紐状部材または伸縮性部材である場合、リジッドな棒状部材に比べて、植物の成長を阻害しないという利点がある。例えば植物の成長によって、植物と農業用照明器具とが接触した場合、リジッドな棒状部材を有する農業用照明器具は植物を傷つけやすいが、紐状部材または伸縮性部材を有する農業用照明器具は、植物を傷つけず、植物の成長を阻害しないという利点がある。吊り下げ部材の材料としては、例えば、樹脂、金属、木材等が挙げられる。また、図９に示すように、フレキシブルＬＥＤ基板２０に接続された電源ケーブル２５を吊り下げ部材３０として用いてもよい。
【００６５】
吊り下げ部材の一端は、反射シートに固定されている。吊り下げ部材を反射シートに固定する方法としては、例えば、接着テープを用いる方法が挙げられる。また、反射シートの一部に貫通孔を設け、紐状部材または伸縮性部材である吊り下げ部材を結びつけることにより、吊り下げ部材および反射シートを固定してもよい。また、吊り下げ部材は、端部にフック等の固定具を有していてもよい。固定具を貫通孔に通すことで、吊り下げ部材および反射シートを固定することができる。なお、農業用照明器具が、上述した補助反射シートを有する場合、吊り下げ部材を補助反射シートに固定してもよい。
【００６６】
反射シートおよび吊り下げ部材が固定される場所は、１ヶ所であってもよく、２ヶ所以上であってもよい。後者の一例としては、図１０に示すように、反射シート１０および吊り下げ部材３０が、接着テープ３１により４ヶ所で固定されている農業用照明器具１００が挙げられる。後者の場合、農業用照明器具を水平に保持しやすいという利点を有する。なお、図１０においては、便宜上、フレキシブルＬＥＤ基板２０に接続された電源ケーブルの記載は省略しているが、任意の位置に配置すればよい。また、後者の場合、反射シートおよび吊り下げ部材が固定される場所は、２ヶ所であってもよく、３ヶ所であってもよく、４ヶ所以上であってもよい。また、図１０では、複数の吊り下げ部材３０が、集合点３２において１本になっている。
【００６７】
また、吊り下げ部材は、反射シートを移動させる移動装置に連結されていてもよい。移動装置は、反射シートを鉛直方向に沿って上下移動させる機能、および、反射シートを鉛直方向の軸に沿って回転させる機能の少なくとも一方を有することが好ましい。移動装置は特に限定されるものではなく、反射シートを移動させることが可能な公知の装置を用いることができる。
【００６８】
４．農業用照明器具
本開示の農業用照明器具は、任意の農業用途に用いられる照明器具である。中でも、本開示の農業用照明器具は、農業ハウス内で用いられる照明器具であることが好ましい。また、農業ハウスは、太陽光型農業ハウスであってもよいし、人工光型農業ハウスであってもよい。本開示の農業用照明器具は、植物の成長により生じる設置条件の調整が容易であるという利点も有する。農業ハウスで栽培する植物は、長日植物（長日に反応して花芽形成を調節する植物）であってもよく、短日植物（短日に反応して花芽形成を調節する植物）であってもよく、中性植物（光周期に反応しない植物）であってもよい。特に、本開示の農業用照明器具は、花卉類を栽培する農業ハウスに用いられることが好ましい。
【００６９】
なお、本開示は、上記実施形態に限定されるものではない。上記実施形態は例示であり、本開示の特許請求の範囲に記載された技術的思想と、実質的に同一の構成を有し、同様な作用効果を奏するものは、いかなる場合であっても本開示の技術的範囲に包含される。
【実施例】
【００７０】
［実施例１］
（多孔質基材シートの作製）
多孔質基材シートの内層を構成する樹脂組成物として、プロピレン単独重合体（日本ポリケム（株）製、商品名「ノバテックＰＰ：ＭＡ−８」、融点１６４℃）を６５．５質量％、高密度ポリエチレン（日本ポリケム（株）製、商品名「ノバテックＨＤ：ＨＪ５８０」、融点１３４℃、密度０．９６０ｇ／ｃｍ３）を６．５質量％、および、平均粒子径が１．５μｍの炭酸カルシウム粉末を２８質量％よりなる樹脂組成物を、押出機を用いて無延伸シートを得た。次いで、この無延伸シートを縦方向に４倍延伸して、一軸延伸シートを得た。
【００７１】
一方、多孔質基材シートの外層を構成する樹脂組成物として、上記と同様の材料にて、プロピレン単独重合体を５１．５質量％、高密度ポリエチレンを３．５質量％、平均粒子径が１．５μｍの炭酸カルシウム粉末を４２質量％、平均粒子径が０．８μｍの酸化チタン粉末を３質量％よりなる樹脂組成物を、別の押出機を用いて溶融混練し、上記の一軸延伸シートの表面の両側にダイより押し出し、外層、内層、外層の層構成を有する積層シートを得た。
【００７２】
次いで、この積層シートを横方向に７倍延伸し耳部をスリットすることにより、厚みが７０μｍであり、外層（１５μｍ）、内層（４０μｍ）、外層（１５μｍ）の層構成を有し、微細な空隙を含有する多孔質基材シートを得た。得られた多孔質基材シートの空隙率は５５％であり、不透明度は９３％であった。
【００７３】
（反射シートの作製）
補強シートとして、Ｌ−ＬＤＰＥフィルム（直鎖状低密度ポリエチレンフィルム、厚み３０μｍ、ＴＵＸ  ＴＣ−Ｓ、三井化学東セロ社製）を用意し、ドライラミネート法にて、補強シートおよび多孔質基材シートを接合した。具体的には、ポリエーテル系接着材としてタケラックＡ−９６９Ｖ（ポリオール成分）およびタケネートＡ−５（イソシアネート成分）を使用した。ポリエーテル系接着材を、乾燥温度７０℃、２ｇ／ｍ２の条件で塗布し、接合した。このようにして、反射シートを得た。
【００７４】
得られた反射シートに対して、反射率測定、平滑性評価および防汚性評価を行った。可視光反射率測定では、紫外・可視・近赤外分光光度計（島津製作所ＵＶ−３６００）および積分球付属装置（ＩＳＲ−３１００）を用いて、入射角８°で反射率（全反射率）を測定した。なお、標準板として、米国ラブスフェア社製スペクトラロン（テフロン（登録商標）製）を用いた。また、測定面は、反射シートの多孔質基材シート側の面とした。波長３８０ｎｍ以上７８０ｎｍ以下での平均可視光反射率は９５％以上であり、植物の育成に必要な可視光を十分に反射することが確認された。一方、平滑性評価では、多孔質基材シート側の表面の算出平均高さＳａを求めた。その結果、Ｓａは０．３μｍであった。また、防汚性評価では、ＪＩＳ−Ｌ−１９１９に基づいて、汚染等級を評価した。その結果、汚染等級は３．５であった。
【００７５】
（フレキシブルＬＥＤ基板の作製）
得られた反射シートを図１１に示す形状に切断した。切断した反射シート１０の表面に、フレキシブルＬＥＤ基板２０を貼り付けた。その後、フレキシブルＬＥＤ基板２０が外側を向くように、反射シート１０を丸め、反射シート１０の内側に接着テープを貼り固定した。これにより、図９に示す筒状構造を有する農業用照明器具１００を作製した。なお、図１１における各符号は、図９における各符号と同様である。
【符号の説明】
【００７６】
１０…反射シート
２０…フレキシブルＬＥＤ基板
３０…吊り下げ部材
１００…農業用照明器具
【図１】
2018092821.tif 000003
【図２】
2018092821.tif 000004
【図３】
2018092821.tif 000005
【図４】
2018092821.tif 000006
【図５】
2018092821.tif 000007
【図６】
2018092821.tif 000008
【図７】
2018092821.tif 000009
【図８】
2018092821.tif 000010
【図９】
2018092821.tif 000011
【図１０】
2018092821.tif 000012
【図１１】
2018092821.tif 000013